【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
第１のエリアと関連付けられる第１の基準を備える第１のトリガフレームを送信することと、ここにおいて、前記第１のトリガフレームは前記第１のエリア内の第１のノードから第１の応答フレームをトリガすることを目的とし、前記第１のトリガフレームは、受信信号強度インジケータ（ＲＳＳＩ）しきい値を示す、
前記第１のノードから前記第１の応答フレームを受信することと、前記第１の応答フレームは、前記第１のノードの近くに位置する１つまたは複数の他のノードの識別子を備え、ここにおいて、前記第１のノードにおけるＲＳＳＩは前記ＲＳＳＩしきい値よりも大きい、
第２のエリアと関連付けられる第２の基準を備える第２のトリガフレームを送信することと、ここにおいて、前記第２のトリガフレームは前記第２のエリア内の第２のノードから第２の応答フレームをトリガすることを目的とし、前記第２のトリガフレームは、前記１つまたは複数の他のノードの各々の前記識別子とともに送信される、
前記１つまたは複数の他のノードから前記第２の応答フレームを受信することと、を備える方法。
【請求項２】
前記第１のエリアは、前記ＵＥに対して、ある径方向距離しきい値内に位置し、ここにおいて、前記第２のエリアは前記径方向距離しきい値を越えて位置する、請求項１に記載の方法。
【請求項３】
前記第２のトリガフレームは、前記ＵＥにおけるトラフィック負荷状態と関連付けられるフィードバック情報を含む、請求項２に記載の方法。
【請求項４】
前記第１のノードにおける前記ＲＳＳＩが前記第１のＲＳＳＩしきい値よりも大きいとき、前記第１のエリア内の前記第１のノードからリストを受信することと、前記リストは、前記１つまたは複数の他のノードの識別子を備える、
前記受信されたリストを使用して、前記第２のノードによる前記第２の応答フレームの送信のためにタイムスロットをスケジュールすることと、ここにおいて、前記第２のノードは前記１つまたは複数の他のノードのうちの１つである、をさらに備える、請求項１に記載の方法。
【請求項５】
ユーザ機器（ＵＥ）によるワイヤレス通信のための方法であって、
第１のエリアと関連付けられる第１の基準を備える第１のトリガフレームを送信することと、ここにおいて、前記第１のトリガフレームは前記第１のエリア内の第１のノードから第１の応答フレームをトリガすることを目的とする、
第２のエリアと関連付けられる第２の基準を備える第２のトリガフレームを送信することと、ここにおいて、前記第２のトリガフレームは前記第２のエリア内の第２のノードから第２の応答フレームをトリガすることを目的とし、前記第１のエリアは第１の円形セクタであり、前記第２のエリアは、前記第１の円形セクタとは異なる第２の円形セクタであり、前記第１および第２のトリガフレームは、前記ＵＥのロケーションに対応する情報を含み、前記第１のトリガフレームは、前記ＵＥの前記ロケーションに対する前記第１のノードのロケーションに基づいて、前記第１の応答フレームを受信するための第１のタイムスロットを示し、前記第２のトリガフレームは、前記ＵＥの前記ロケーションに対する前記第２のノードのロケーションに基づいて、前記第２の応答フレームを受信するための第２のタイムスロットを示す、を備える方法。
【請求項６】
ユーザ機器（ＵＥ）によるワイヤレス通信の方法であって、
あるエリアと関連付けられる基準を備えるトリガフレームを受信することと、
前記トリガフレームが前記ＵＥに宛てられているかどうかを、前記トリガフレーム内の前記基準に基づいて決定することと、
前記トリガフレームが前記ＵＥに宛てられているときに応答フレームを送信することと、
前記ＵＥのサービング優先度ランクが、前記ＵＥによって受信された応答フレームを前に送った近隣ノードのサービング優先度ランクよりも低いときに、前記応答フレームを送信することを控えることと、を備える方法。
【請求項７】
前記トリガフレームは、衝突緩和プロシージャを有効化するかどうかを示し、ここにおいて、前記応答フレームの前記送信は、衝突緩和プロシージャに従う、請求項６に記載の方法。
【請求項８】
ワイヤレス通信のためのユーザ機器（ＵＥ）であって、
メモリと、
前記メモリに結合された少なくとも１つのプロセッサとを備え、前記少なくとも１つのプロセッサは、
第１のエリアと関連付けられる第１の基準を備える第１のトリガフレームを送信することと、ここにおいて、前記第１のトリガフレームは前記第１のエリア内の第１のノードから第１の応答フレームをトリガすることを目的とし、前記第１のトリガフレームは受信信号強度インジケータ（ＲＳＳＩ）しきい値を示す、
前記第１のノードから前記第１の応答フレーム、前記第１の応答フレームは、前記第１のノードの近くに位置する１つまたは複数の他のノードの識別子を備え、ここにおいて、前記第１のノードにおけるＲＳＳＩは前記ＲＳＳＩしきい値よりも大きい、
第２のエリアと関連付けられる第２の基準を備える第２のトリガフレームを送信することと、ここにおいて、前記第２のトリガフレームは前記第２のエリア内の第２のノードから第２の応答フレームをトリガすることを目的とし、前記第２のトリガフレームは、前記１つまたは複数の他のノードの各々の前記識別子とともに送信される、
前記１つまたは複数の他のノードから前記第２の応答フレームを受信することと、を行うように構成されるＵＥ。
【請求項９】
前記第１のエリアは、前記ＵＥに対して、ある径方向距離しきい値内に位置し、ここにおいて、前記第２のエリアは前記径方向距離しきい値を越えて位置する、請求項８に記載のＵＥ。
【請求項１０】
前記第２のトリガフレームは、前記ＵＥにおけるトラフィック負荷状態と関連付けられるフィードバック情報を含む、請求項９に記載のＵＥ。
【請求項１１】
前記少なくとも１つのプロセッサは、
前記第１のノードにおける前記ＲＳＳＩが前記第１のＲＳＳＩしきい値よりも大きいとき、前記第１のエリア内の前記第１のノードからリストを受信することと、前記リストは、１つまたは複数の他のノードの識別子を備える、
前記受信されたリストを使用して、前記第２のノードによる前記第２の応答フレームの送信のためにタイムスロットをスケジュールすることと、ここにおいて、前記第２のノードは前記１つまたは複数の他のノードのうちの１つである、を行うようにさらに構成される、請求項８に記載のＵＥ。
【請求項１２】
ワイヤレス通信のためのユーザ機器（ＵＥ）であって、
メモリと、
前記メモリに結合された少なくとも１つのプロセッサとを備え、前記少なくとも１つのプロセッサは、
あるエリアと関連付けられる基準を備えるトリガフレームを受信することと、
前記トリガフレームが前記ＵＥに宛てられているかどうかを、前記トリガフレームに含められた前記基準に基づいて決定することと、
前記トリガフレームが前記ＵＥに宛てられているときに応答フレームを送信することと、
前記ＵＥのサービング優先度ランクが、前記ＵＥによって受信された応答フレームを前に送った近隣ノードのサービング優先度ランクよりも低いときに、前記応答フレームを送信することを控えることと、を行うように構成されるＵＥ。
【請求項１３】
ワイヤレス通信のためのユーザ機器（ＵＥ）であって、
メモリと、
前記メモリに結合された少なくとも１つのプロセッサとを備え、前記少なくとも１つのプロセッサは、
第１のエリアと関連付けられる第１の基準を備える第１のトリガフレームを送信することと、ここにおいて、前記第１のトリガフレームは前記第１のエリア内の第１のノードから第１の応答フレームをトリガすることを目的とする、
第２のエリアと関連付けられる第２の基準を備える第２のトリガフレームを送信することと、ここにおいて、前記第２のトリガフレームは前記第２のエリア内の第２のノードから第２の応答フレームをトリガすることを目的とし、前記第１のエリアは第１の円形セクタであり、前記第２のエリアは、前記第１の円形セクタとは異なる第２の円形セクタであり、前記第１および第２のトリガフレームは、前記ＵＥのロケーションに対応する情報を含み、前記第１のトリガフレームは、前記ＵＥの前記ロケーションに対する前記第１のノードのロケーションに基づいて、前記第１の応答フレームを受信するための第１のタイムスロットを示し、前記第２のトリガフレームは、前記ＵＥの前記ロケーションに対する前記第２のノードのロケーションに基づいて、前記第２の応答フレームを受信するための第２のタイムスロットを示す、を行うように構成されるＵＥ。
【手続補正２】
【補正対象書類名】明細書
【補正対象項目名】０１０８
【補正方法】変更
【補正の内容】
【０１０８】
[00112]以上の説明は、本明細書で説明された様々な態様を当業者が実施することを可能にするために与えられた。これらの態様に対する様々な変更は当業者には容易に明らかになり、本明細書で定義した一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように別段に明記されていない限り、「唯一無二の」を意味するものではなく、「１つまたは複数の」を意味するものである。別段に明記されない限り、「いくつかの」という語は「１つまたは複数の」を表す。当業者に知られているか、または後で知られることになる、本開示全体にわたって記載された様々な態様の要素に対するすべての構造的および機能的な均等物は、参照により本明細書に明確に組み込まれ、特許請求の範囲によって包含されるものである。その上、本明細書で開示されたいかなることも、そのような開示が特許請求の範囲に明示的に列挙されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条（ｆ）の規定の下で解釈されるべきではない。
以下に、本願の出願当初の特許請求の範囲に記載された発明を付記する。
［Ｃ１］
ユーザ機器（ＵＥ）によるワイヤレス通信のための方法であって、
第１のエリアと関連付けられる第１の基準を備える第１のトリガフレームを送信することと、ここにおいて、前記第１のトリガフレームは前記第１のエリア内の第１のノードから第１の応答フレームをトリガすることを目的とする、
第２のエリアと関連付けられる第２の基準を備える第２のトリガフレームを送信することと、ここにおいて、前記第２のトリガフレームは前記第２のエリア内の第２のノードから第２の応答フレームをトリガすることを目的とする、を備える方法。
［Ｃ２］
前記第１のエリアは、前記ＵＥに対して、ある径方向距離しきい値内に位置し、ここにおいて、前記第２のエリアは前記径方向距離しきい値を越えて位置する、Ｃ１に記載の方法。
［Ｃ３］
前記第１のトリガフレームは、受信信号強度インジケータ（ＲＳＳＩ）しきい値を示し、
前記第２のトリガフレームは、前記ＲＳＳＩしきい値を示さないか、または前記ＲＳＳＩしきい値に対してヌル値を示す、Ｃ２に記載の方法。
［Ｃ４］
前記第１のトリガフレームは第１の受信信号強度インジケータ（ＲＳＳＩ）レンジを示し、ここにおいて、前記第１のトリガフレームは、前記第１のＲＳＳＩレンジに基づいて、前記第１のエリア内の前記第１のノードから前記第１の応答フレームをトリガすることを目的とし、
前記第２のトリガフレームは第２のＲＳＳＩレンジを示し、ここにおいて、前記第２のトリガフレームは、前記第２のＲＳＳＩレンジに基づいて、前記第２のエリア内の前記第２のノードから前記第２の応答フレームをトリガすることを目的とする、Ｃ２に記載の方法。
［Ｃ５］
前記第２のトリガフレームは、前記ＵＥにおけるトラフィック負荷状態と関連付けられるフィードバック情報を含む、Ｃ２に記載の方法。
［Ｃ６］
前記第１のトリガフレームは受信信号強度インジケータ（ＲＳＳＩ）しきい値を示し、前記方法は、
前記第１のノードから前記第１の応答フレームを受信することと、前記第１の応答フレームは、前記第１のノードの近くに位置する１つまたは複数の他のノードの識別子を備え、ここにおいて、前記第１のノードにおけるＲＳＳＩは前記ＲＳＳＩしきい値よりも大きく、ここにおいて、前記第２のトリガフレームは、前記１つまたは複数の他のノードの各々の前記識別子とともに送信される、
前記１つまたは複数の他のノードから応答フレームを受信することとをさらに備える、Ｃ２に記載の方法。
［Ｃ７］
前記第１のノードにおける第１の受信信号強度インジケータ（ＲＳＳＩ）が前記第１の基準よりも大きいときに前記第１のノードから前記第１の応答フレームを受信することと、前記第１の基準は第１のＲＳＳＩしきい値であり、ここにおいて、前記第２のトリガフレームは、前記第１のノードと関連付けられる識別子とともに、また第２のＲＳＳＩしきい値ととともに送信される、
前記第２のノードと前記第１のノードとの間の第２のＲＳＳＩが前記第２のトリガフレームで送信された前記第２のＲＳＳＩしきい値よりも大きいかまたはそれに等しいとき、前記第２のノードから前記第２の応答フレームを受信することとをさらに備える、Ｃ２に記載の方法。
［Ｃ８］
前記第１のノードにおける受信信号強度インジケータ（ＲＳＳＩ）がＲＳＳＩしきい値よりも大きいとき、前記第１のエリア内の前記第１のノードからリストを受信することと、前記リストは、前記第１のノードによって前に発見された１つまたは複数の他のノードの識別子を備え、ここにおいて、前記第２のノードは前記１つまたは複数の他のノードのうちの１つである、
前記受信されたリストを使用して、前記第２のノードによる前記第２の応答フレームの送信のためにタイムスロットをスケジュールすることとをさらに備える、Ｃ２に記載の方法。
［Ｃ９］
前記第１のエリアは第１の円形セクタであり、前記第２のエリアは、前記第１の円形セクタとは異なる第２の円形セクタである、Ｃ１に記載の方法。
［Ｃ１０］
前記第１および第２のトリガフレームは、前記ＵＥのロケーションに対応する情報を含み、
前記第１のトリガフレームは、前記ＵＥの前記ロケーションに対する前記第１のノードのロケーションに基づいて、前記第１の応答フレームを受信するための第１のタイムスロットを示し、
前記第２のトリガフレームは、前記ＵＥの前記ロケーションに対する前記第２のノードのロケーションに基づいて、前記第２の応答フレームを受信するための第２のタイムスロットを示す、Ｃ９に記載の方法。
［Ｃ１１］
前記第１のエリアは第１のビーム形成セクタであり、前記第２のエリアは、前記第１のビーム形成セクタとは異なる第２のビーム形成セクタである、Ｃ１に記載の方法。
［Ｃ１２］
前記第１のトリガフレームは、第１の時間に、前記第１のビーム形成セクタ内に位置する前記第１のノードに送信され、
第２のトリガフレームは、前記第１の時間とは異なる第２の時間に、前記第２のビーム形成セクタに位置する前記第２のノードに送信される、Ｃ１１に記載の方法。
［Ｃ１３］
ユーザ機器（ＵＥ）によるワイヤレス通信の方法であって、
あるエリアと関連付けられる基準を備えるトリガフレームを受信することと、
前記トリガフレームが前記ＵＥに宛てられているかどうかを、前記トリガフレーム内の前記基準に基づいて決定することと、
前記トリガフレームが前記ＵＥに宛てられているときに応答フレームを送信することとを備える方法。
［Ｃ１４］
前記基準は受信信号強度インジケータ（ＲＳＳＩ）しきい値である、Ｃ１３に記載の方法。
［Ｃ１５］
前記トリガフレームは、衝突緩和プロシージャを有効化するかどうかを示し、ここにおいて、前記応答フレームの前記送信は、衝突緩和プロシージャに従う、Ｃ１３に記載の方法。
［Ｃ１６］
前記衝突緩和プロシージャに従う前記送信は、前記応答フレームを送信するための発見ウィンドウ内のランダムな開始時間の選択または前記応答フレームを送信するための送信要求／送信可（ＲＴＳ／ＣＴＳ）プロシージャの実装の少なくとも一方を備える、Ｃ１５に記載の方法。
［Ｃ１７］
トラフィック負荷状態と関連付けられるフィードバック情報を受信することと、
前記フィードバック情報を使用して、前記応答フレームの前記送信と関連付けられるパラメータを調節することとをさらに備える、Ｃ１３に記載の方法。
［Ｃ１８］
前記応答フレームは、前記トリガフレームの送信機のロケーションに対する前記ＵＥのロケーションに基づいた時間に送信される、Ｃ１３に記載の方法。
［Ｃ１９］
前記応答フレームは、ビーム形成セクタ内の前記ＵＥのロケーションに基づいた時間に送信される、Ｃ１３に記載の方法。
［Ｃ２０］
前記ＵＥのサービング優先度ランクが、前記ＵＥによって受信された応答フレームを前に送った近隣ノードのサービング優先度ランクよりも低いときに、応答フレームを送信することを控えることをさらに備える、Ｃ１３に記載の方法。
［Ｃ２１］
ユーザ機器（ＵＥ）によるワイヤレス通信のための装置であって、
メモリと、
前記メモリに結合された少なくとも１つのプロセッサとを備え、前記少なくとも１つのプロセッサは、
第１のエリアと関連付けられる第１の基準を備える第１のトリガフレームを送信することと、ここにおいて、前記第１のトリガフレームは前記第１のエリア内の第１のノードから第１の応答フレームをトリガすることを目的とする、
第２のエリアと関連付けられる第２の基準を備える第２のトリガフレームを送信することと、ここにおいて、前記第２のトリガフレームは前記第２のエリア内の第２のノードから第２の応答フレームをトリガすることを目的とする、を行うように構成される装置。
［Ｃ２２］
前記第１のエリアは、前記ＵＥに対して、ある径方向距離しきい値内に位置し、ここにおいて、前記第２のエリアは前記径方向距離しきい値を越えて位置する、Ｃ２１に記載の装置。
［Ｃ２３］
前記第１のトリガフレームは第１の受信信号強度インジケータ（ＲＳＳＩ）レンジを示し、ここにおいて、前記第１のトリガフレームは、前記第１のＲＳＳＩレンジに基づいて、前記第１のエリア内の前記第１のノードから前記第１の応答フレームをトリガすることを目的とし、
前記第２のトリガフレームは第２のＲＳＳＩレンジを示し、ここにおいて、前記第２のトリガフレームは、前記第２のＲＳＳＩレンジに基づいて、前記第２のエリア内の前記第２のノードから前記第２の応答フレームをトリガすることを目的とする、Ｃ２２に記載の装置。
［Ｃ２４］
前記第２のトリガフレームは、前記ＵＥにおけるトラフィック負荷状態と関連付けられるフィードバック情報を含む、Ｃ２２に記載の装置。
［Ｃ２５］
前記少なくとも１つのプロセッサは、
前記第１のノードにおける第１の受信信号強度インジケータ（ＲＳＳＩ）が前記第１の基準よりも大きいときに前記第１のノードから前記第１の応答フレームを受信することと、前記第１の基準は第１のＲＳＳＩしきい値であり、ここにおいて、前記第２のトリガフレームは、前記第１のノードと関連付けられる識別子とともに、また第２のＲＳＳＩしきい値ととともに送信される、
前記第２のノードと前記第１のノードとの間の第２のＲＳＳＩが前記第２のトリガフレームで送信された前記第２のＲＳＳＩしきい値よりも大きいかまたはそれに等しいとき、前記第２のノードから前記第２の応答フレームを受信することとを行うようにさらに構成される、Ｃ２２に記載の装置。
［Ｃ２６］
前記少なくとも１つのプロセッサは、
前記第１のノードにおける受信信号強度インジケータ（ＲＳＳＩ）がＲＳＳＩしきい値よりも大きいとき、前記第１のエリア内の前記第１のノードからリストを受信することと、前記リストは、前記第１のノードによって前に発見された１つまたは複数の他のノードの識別子を備え、ここにおいて、前記第２のノードは前記１つまたは複数の他のノードのうちの１つである、
前記受信されたリストを使用して、前記第２のノードによる前記第２の応答フレームの送信のためにタイムスロットをスケジュールすることとを行うようにさらに構成される、Ｃ２２に記載の装置。
［Ｃ２７］
前記第１のエリアは第１の円形セクタであり、前記第２のエリアは、前記第１の円形セクタとは異なる第２の円形セクタである、Ｃ２１に記載の装置。
［Ｃ２８］
ユーザ機器（ＵＥ）によるワイヤレス通信のための装置であって、
メモリと、
前記メモリに結合された少なくとも１つのプロセッサとを備え、前記少なくとも１つのプロセッサは、
あるエリアと関連付けられる基準を備えるトリガフレームを受信することと、
前記トリガフレームが前記ＵＥに宛てられているかどうかを、前記トリガフレームに含められた前記基準に基づいて決定することと、
前記トリガフレームが前記ＵＥに宛てられているときに応答フレームを送信することとを行うように構成される装置。
［Ｃ２９］
前記少なくとも１つのプロセッサは、
トラフィック負荷状態と関連付けられるフィードバック情報を受信することと、
前記フィードバック情報を使用して、前記応答フレームの前記送信と関連付けられるパラメータを調節することとを行うようにさらに構成される、Ｃ２８に記載の装置。
［Ｃ３０］
前記少なくとも１つのプロセッサは、前記ＵＥのサービング優先度ランクが、前記ＵＥによって受信された応答フレームを前に送った近隣ノードのサービング優先度ランクよりも低いときに、応答フレームを送信することを控えるようにさらに構成される、Ｃ２８に記載の装置。